(57)【要約】【課題】プロトコル処理の複雑さを軽減し、効率的に通信を行うことができる端末装置、基地局装置、方法、および集積回路に関する技術を提供すること。【解決手段】端末装置であって、基地局からＤＲＢ設定を含むＲＲＣ再設定メッセージを受信する受信部と、ＤＲＢ設定に含まれるＤＲＢ識別子の値が、端末装置の設定に存在しない場合で、ＤＲＢ設定にＳＤＡＰ設定が含まれる場合には、ＳＤＡＰ設定に従ってＰＤＵセッションに対応するＳＤＡＰエンティティを設定し、ＤＲＢ設定に従って確立したＤＲＢをＳＤＡＰエンティティに関連付け、ＳＤＡＰ設定に、ＤＲＢ識別子の値に対応したＤＲＢに対応付ける、追加するＱｏＳフローが含まれている場合で、追加するＱｏＳフローに含まれるＱｏＳフロー識別子が、端末装置の設定に存在しない場合には、ＰＤＵセッションを上位レイヤに通知する、処理部とを有する。【選択図】図８
2020025159.tif 000002
【特許請求の範囲】
【請求項１】
基地局装置と通信する端末装置であって、
基地局から無線ベアラ設定情報要素を含むＲＲＣ再設定メッセージを受信する受信部と、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない場合には、ＳＤＡＰエンティティを確立し、
前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＰＤＵセッション情報要素を上位レイヤに通知する、処理部とを有する、
端末装置。
【請求項２】
基地局装置と通信する端末装置であって、
基地局から無線ベアラ設定情報要素を含むＲＲＣ再設定メッセージを受信する受信部と、
前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、
前記ＳＤＡＰ設定情報要素に従ってＳＤＡＰエンティティを再設定し、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＳＤＡＰ設定情報要素に含まれるＰＤＵセッション情報要素を上位レイヤに通知する、処理部とを有する、
端末装置。
【請求項３】
端末装置と通信する基地局装置であって、
端末装置へＲＲＣ再設定メッセージを送信する送信部と、
前記ＲＲＣ再設定メッセージに、無線ベアラ設定情報要素を含み、前記端末装置に処理を行わせる処理部とを有し、
前記処理は、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない場合には、ＳＤＡＰエンティティを確立し、
前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、
前記ＳＤＡＰ設定情報要素に、前記無線ベアラ識別子情報要素の値に対応した無線ベアラに対応付ける、追加するＱｏＳフロー情報要素が含まれている場合で、前記追加するＱ
ｏＳフロー情報要素に含まれるＱｏＳフロー識別子情報要素が、前記端末装置の設定に存在しない場合には、
前記ＰＤＵセッション情報要素を上位レイヤに通知する処理である、
基地局装置。
【請求項４】
端末装置と通信する基地局装置であって、
端末装置へＲＲＣ再設定メッセージを送信する送信部と、
前記ＲＲＣ再設定メッセージに、無線ベアラ設定情報要素を含み、前記端末装置に処理を行わせる処理部とを有し、
前記処理は、
前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、
前記ＳＤＡＰ設定情報要素に従ってＳＤＡＰエンティティを再設定し、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＳＤＡＰ設定情報要素に含まれるＰＤＵセッション情報要素を上位レイヤに通知する処理である、
基地局装置。
【請求項５】
基地局装置と通信する端末装置の方法であって、
基地局から無線ベアラ設定情報要素を含むＲＲＣ再設定メッセージを受信し、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない場合には、ＳＤＡＰエンティティを確立し、
前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＰＤＵセッション情報要素を上位レイヤに通知する、
方法。
【請求項６】
基地局装置と通信する端末装置の方法であって、
基地局から無線ベアラ設定情報要素を含むＲＲＣ再設定メッセージを受信し、
前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、
前記ＳＤＡＰ設定情報要素に従ってＳＤＡＰエンティティを再設定し、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＳＤＡＰ設定情報要素に含まれるＰＤＵセッション情報要素を上位レイヤに通知す
る、
方法。
【請求項７】
端末装置と通信する基地局装置の方法であって、
端末装置へＲＲＣ再設定メッセージを送信し、
前記ＲＲＣ再設定メッセージに、無線ベアラ設定情報要素を含み、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない場合には、ＳＤＡＰエンティティを確立し、
前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＰＤＵセッション情報要素を上位レイヤに通知する処理を前記端末装置に行わせる、
方法。
【請求項８】
端末装置と通信する基地局装置であって、
端末装置へＲＲＣ再設定メッセージを送信し、
前記ＲＲＣ再設定メッセージに、無線ベアラ設定情報要素を含み、
前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、
前記ＳＤＡＰ設定情報要素に従ってＳＤＡＰエンティティを再設定し、
前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、
前記ＳＤＡＰ設定情報要素に含まれるＰＤＵセッション情報要素を上位レイヤに通知する処理を前記端末装置に行わせる、
方法。
【請求項９】
基地局装置と通信する端末装置であって、
基地局から無線ベアラ設定情報要素を含むＲＲＣ再設定メッセージを受信する受信部と、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する、処理部と、を有する、
端末装置。
【請求項１０】
基地局装置と通信する端末装置であって、
基地局から無線ベアラ設定情報要素を含むＲＲＣ再設定メッセージを受信する受信部と、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、
前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、
前記ＰＤＵセッション情報要素の値に対応するＰＤＵセッションに対するユーザープレーンリソースが設定された事を上位レイヤに通知する、処理部と、を有する、
端末装置。
【請求項１１】
端末装置と通信する基地局装置であって、
端末装置へＲＲＣ再設定メッセージを送信する送信部と、
前記ＲＲＣ再設定メッセージに、無線ベアラ設定情報要素を含み、前記端末装置に処理を行わせる処理部とを有し、
前記処理は、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する処理である、
基地局装置。
【請求項１２】
端末装置と通信する基地局装置であって、
端末装置へＲＲＣ再設定メッセージを送信する送信部と、
前記ＲＲＣ再設定メッセージに、無線ベアラ設定情報要素を含み、前記端末装置に処理を行わせる処理部とを有し、
前記処理は、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、
前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、
前記ＰＤＵセッション情報要素の値に対応するＰＤＵセッションに対するユーザープレーンリソースが設定された事を上位レイヤに通知する処理である、
基地局装置。
【請求項１３】
基地局装置と通信する端末装置の方法であって、
基地局から無線ベアラ設定情報要素を含むＲＲＣ再設定メッセージを受信し、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する、
方法。
【請求項１４】
基地局装置と通信する端末装置の方法であって、
基地局から無線ベアラ設定情報要素を含むＲＲＣ再設定メッセージを受信し、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、
前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、
前記ＰＤＵセッション情報要素の値に対応するＰＤＵセッションに対するユーザープレーンリソースが設定された事を上位レイヤに通知する、
方法。
【請求項１５】
端末装置と通信する基地局装置の方法であって、
端末装置へＲＲＣ再設定メッセージを送信し、
前記ＲＲＣ再設定メッセージに、無線ベアラ設定情報要素を含み、前記端末装置に処理を行わせ、
前記処理は、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する処理である、
方法。
【請求項１６】
端末装置と通信する基地局装置の方法であって、
端末装置へＲＲＣ再設定メッセージを送信する送信部と、
前記ＲＲＣ再設定メッセージに、無線ベアラ設定情報要素を含み、前記端末装置に処理を行わせ、
前記処理は、
前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、
前記ＳＤＡＰ設定情報要素に含まれるＰＤＵセッション情報要素が前記端末装置の設定に存在しない事に基づいて、ＳＤＡＰエンティティを確立し、
前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、
前記ＰＤＵセッション情報要素の値に対応するＰＤＵセッションに対するユーザープレーンリソースが設定された事を上位レイヤに通知する処理である、
方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４,  “ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【発明の概要】
【発明が解決しようとする課題】
【０００５】
ＮＲの技術検討の一つとして、ＩＰ（Ｉｎｔｅｒｎｅｔ  Ｐｒｏｔｏｃｏｌ）レイヤ（ｌａｙｅｒ）以上の上位レイヤとＮＲの無線アクセスレイヤとの間のＱｏＳ（Ｑｕａｌｉｔｙ  ｏｆ  Ｓｅｒｖｉｃｅ）管理を行う、無線アクセスレイヤのプロトコルが検討されている。
【０００６】
しかしながら、上位レイヤと無線アクセスレイヤの間でのＱｏＳ管理が正しく行われない場合、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわち基地局装置と通信する端末装置であって、基地局から無線ベアラ設定情報要素を含むＲＲＣ再設定メッセージを受信する受信部と、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない場合には、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、前記ＳＤＡＰ設定情報要素に、前記無線ベアラ識別子情報要素の値に対応した無線ベアラに対応付ける、追加するＱｏ
Ｓフロー情報要素が含まれている場合で、前記追加するＱｏＳフロー情報要素に含まれるＱｏＳフロー識別子情報要素が、前記端末装置の設定に存在しない場合には、前記ＰＤＵセッション情報要素を上位レイヤに通知する、処理部とを有する。
【０００９】
また本発明の一態様は、基地局装置と通信する端末装置であって、基地局から無線ベアラ設定情報要素を含むＲＲＣ再設定メッセージを受信する受信部と、前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、前記ＳＤＡＰ設定情報要素に従ってＳＤＡＰエンティティを再設定し、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＳＤＡＰ設定情報要素に含まれるＰＤＵセッション情報要素を上位レイヤに通知する、処理部とを有する。
【００１０】
また本発明の一態様は、端末装置と通信する基地局装置であって、端末装置へＲＲＣ再設定メッセージを送信する送信部と、前記ＲＲＣ再設定メッセージに、無線ベアラ設定情報要素を含み、前記端末装置に処理を行わせる処理部とを有し、前記処理は、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない場合には、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＰＤＵセッション情報要素を上位レイヤに通知する処理である。
【００１１】
また本発明の一態様は、端末装置と通信する基地局装置であって、端末装置へＲＲＣ再設定メッセージを送信する送信部と、前記ＲＲＣ再設定メッセージに、無線ベアラ設定情報要素を含み、前記端末装置に処理を行わせる処理部とを有し、前記処理は、前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、前記ＳＤＡＰ設定情報要素に従ってＳＤＡＰエンティティを再設定し、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＳＤＡＰ設定情報要素に含まれるＰＤＵセッション情報要素を上位レイヤに通知する処理である。
【００１２】
また本発明の一態様は、基地局装置と通信する端末装置の方法であって、基地局から無線ベアラ設定情報要素を含むＲＲＣ再設定メッセージを受信し、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない場合には、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、前記ＳＤ
ＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＰＤＵセッション情報要素を上位レイヤに通知する。
【００１３】
また本発明の一態様は、基地局装置と通信する端末装置の方法であって、基地局から無線ベアラ設定情報要素を含むＲＲＣ再設定メッセージを受信し、前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、前記ＳＤＡＰ設定情報要素に従ってＳＤＡＰエンティティを再設定し、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＳＤＡＰ設定情報要素に含まれるＰＤＵセッション情報要素を上位レイヤに通知する。
【００１４】
また本発明の一態様は、端末装置と通信する基地局装置の方法であって、端末装置へＲＲＣ再設定メッセージを送信し、前記ＲＲＣ再設定メッセージに、無線ベアラ設定情報要素を含み、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない場合には、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記ＳＤＡＰエンティティに関連付け、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＰＤＵセッション情報要素を上位レイヤに通知する処理を前記端末装置に行わせる。
【００１５】
また本発明の一態様は、端末装置と通信する基地局装置であって、端末装置へＲＲＣ再設定メッセージを送信し、前記ＲＲＣ再設定メッセージに、無線ベアラ設定情報要素を含み、前記無線ベアラ設定情報要素に含まれる無線ベアラ識別子情報要素の値が、前記端末装置の設定に存在する場合で、前記無線ベアラ設定情報要素にＳＤＡＰ設定情報要素が含まれる場合には、前記ＳＤＡＰ設定情報要素に従ってＳＤＡＰエンティティを再設定し、前記ＳＤＡＰ設定情報要素に、前記無線ベアラ識別子情報要素の値に対応した無線ベアラに対応付ける、追加するＱｏＳフロー情報要素が含まれている場合で、前記追加するＱｏＳフロー情報要素に含まれるＱｏＳフロー識別子情報要素が、前記端末装置の設定に存在しない場合には、前記ＳＤＡＰ設定情報要素に含まれるＰＤＵセッション情報要素を上位レイヤに通知する処理を前記端末装置に行わせる。
【００１６】
また本発明の一態様は、基地局装置と通信する端末装置であって、基地局から無線ベアラ設定情報要素を含むＲＲＣ再設定メッセージを受信する受信部と、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する、処理部と、を有する。
【００１７】
また本発明の一態様は、基地局装置と通信する端末装置であって、基地局から無線ベアラ設定情報要素を含むＲＲＣ再設定メッセージを受信する受信部と、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、前記ＰＤＵセッション情報要素の値に対応するＰＤＵセッションに対するユーザープレーンリソースが設定された事を上位レイヤに通知する、処理部と、を有する。
【００１８】
また本発明の一態様は、端末装置と通信する基地局装置であって、端末装置へＲＲＣ再設定メッセージを送信する送信部と、前記ＲＲＣ再設定メッセージに、無線ベアラ設定情報要素を含み、前記端末装置に処理を行わせる処理部とを有し、前記処理は、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する処理である。
【００１９】
また本発明の一態様は、端末装置と通信する基地局装置であって、端末装置へＲＲＣ再設定メッセージを送信する送信部と、前記ＲＲＣ再設定メッセージに、無線ベアラ設定情報要素を含み、前記端末装置に処理を行わせる処理部とを有し、前記処理は、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、前記ＰＤＵセッション情報要素の値に対応するＰＤＵセッションに対するユーザープレーンリソースが設定された事を上位レイヤに通知する処理である。
【００２０】
また本発明の一態様は、基地局装置と通信する端末装置の方法であって、基地局から無線ベアラ設定情報要素を含むＲＲＣ再設定メッセージを受信し、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する。
【００２１】
また本発明の一態様は、基地局装置と通信する端末装置の方法であって、基地局から無線ベアラ設定情報要素を含むＲＲＣ再設定メッセージを受信し、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、前記ＰＤＵセッション情報要素の値に対応するＰＤＵセッションに対するユーザープレーンリソースが設定された事を上位レイヤに通知する。
【００２２】
また本発明の一態様は、端末装置と通信する基地局装置の方法であって、端末装置へＲＲＣ再設定メッセージを送信し、前記ＲＲＣ再設定メッセージに、無線ベアラ設定情報要素を含み、前記端末装置に処理を行わせ、前記処理は、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って前記ＰＤＵセッション情報要素に対応するＳＤＡＰエンティティを設定し、前記無線ベアラ設定情報要素に従って確立した無線ベアラを前記確立したＳＤＡＰエンティティに関連付け、前記ＰＤＵセッション情報要素の値に対応するＰＤＵセッションに対するユーザープレーンリソースが設定された事を上位レイヤに通知する処理である。
【００２３】
また本発明の一態様は、端末装置と通信する基地局装置の方法であって、端末装置へＲＲＣ再設定メッセージを送信する送信部と、前記ＲＲＣ再設定メッセージに、無線ベアラ設定情報要素を含み、前記端末装置に処理を行わせ、前記処理は、前記無線ベアラ設定情報要素に含まれる無線ベアラ識別子情報要素の値が、前記端末装置の設定に存在しない場合で、前記無線ベアラ設定情報要素にＳＤＡＰ設定情報要素が含まれる場合には、前記ＳＤＡＰ設定情報要素に含まれるＰＤＵセッション情報要素が前記端末装置の設定に存在しない事に基づいて、ＳＤＡＰエンティティを確立し、前記ＳＤＡＰ設定情報要素に従って、前記確立されたＳＤＡＰエンティティ、又は前記ＰＤＵセッション情報要素に対応する既存のＳＤＡＰを設定又は再設定し、前記無線ベアラ設定情報要素に従って確立した無線ベアラを前記確立されたＳＤＡＰエンティティ、または前記ＰＤＵセッション情報要素に対応する前記既存のＳＤＡＰエンティティに関連付け、前記ＰＤＵセッション情報要素の値に対応するＰＤＵセッションに対するユーザープレーンリソースが設定された事を上位レイヤに通知する処理である。
【００２４】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００２５】
本発明の一態様によれば、端末装置は、プロトコル処理の複雑さを軽減し、効率的に通信を行うことができる。
【図面の簡単な説明】
【００２６】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣコネクション再設定手順のフローの一例を示す図
【図５】本発明の各実施の形態における端末装置の構成を示すブロック図。
【図６】本発明の各実施の形態における基地局装置の構成を示すブロック図。
【図７】本発明の各実施の形態における無線ベアラ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図８】本発明の実施の形態１における処理方法の一例。
【図９】本発明の実施の形態１における処理方法の別の一例。
【図１０】本発明の実施の形態１における処理方法の一例。
【図１１】本発明の実施の形態１における処理方法の別の一例。
【発明を実施するための形態】
【００２７】
以下、本発明の実施の形態について、図面を参照して詳細に説明する。
【００２８】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ  Ｄｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００２９】
図１は本発明の各実施の形態に係る通信システムの概略図である。
【００３０】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００３１】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、非特許文献２等に記載のコア網であり、ＮＲ用コア網として設計されているが、５ＣＧに接続する機能をもつＥ−ＵＴＲＡのコア網として使われても良い。以下Ｅ−ＵＴＲＡとは５ＣＧに接続する機能をもつＥ−ＵＴＲＡを含んでも良い。
【００３２】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースである。また、インタフェース１１４、インタフェース１１６、インタフェース１１８、インタフェース１２０、インタフェース１２４は、通信事業者が提供する通信システムに応じて存在しない場合もある。
【００３３】
ＵＥ１２２はＮＲに対応、又はＥ−ＵＴＲＡ及びＮＲ両方対応した端末装置である。
【００３４】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００３５】
図２（Ａ）はＵＥ１２２がｅＮＢ１０２と通信を行う際に用いるＵＰのプロトコルスタック図である。
【００３６】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００３７】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３８】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３９】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００４０】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００４１】
図２（Ｂ）はＵＥ１２２がｅＮＢ１０２と通信を行う際に用いるＣＰのプロトコルスタック図である。
【００４２】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００４３】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００４４】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００４５】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００４６】
図３（Ａ）はＵＥ１２２がｇＮＢ１０８と通信を行う際に用いるＵＰのプロトコルスタック図である。
【００４７】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４８】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４９】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００５０】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００５１】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクのＱｏＳフローとＤＲＢとの対応付け（マッピング：ｍａｐｐｉｎｇ）、及び端末装置から基地局装置を介してコアネットワークに送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。端末装置が上位レイヤよりＳＤＡＰ  ＳＤＵをＱｏＳフロー情報と共にを受け取った際、格納されているＱｏＳフローとＤＲＢとのマッピングルールに基づいて、ＳＤＡＰ  ＳＤＵを該当するＤＲＢに割り当てる。ＱｏＳフローとＤＲＢとのマッピングルールが格納されていない場合、ＳＤＡＰ  ＳＤＵをデフォルト無線ベアラ（デフォルトＤＲＢ）に割り当てても良い。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ
ＱｏＳ）の機能を持っても良い。またＱｏＳフローとＤＲＢとの対応付けルールが変更になった場合には、エンドマーカー（Ｅｎｄ  Ｍａｒｋｅｒ）ＤＰＵを作成し、変更前のＤＲＢに送信する事により、ＳＤＡＰ  ＳＤＵの順番通りの配信（ｉｎ−ｓｅｑｕｅｎｃｅ  ｄｅｌｉｖｅｒｙ）を保証しても良い（非特許文献２、非特許文献１６）。
【００５２】
エンドマーカーＰＤＵとは、非特許文献１６に記載のＳＤＡＰ制御ＰＤＵで、ＵＥのＳＤＡＰエンティティが、本エンドマーカーＰＤＵのＱｏＳフロー識別子フィールドに含まれるＱｏＳフロー識別子に対応したＱｏＳフローと、本エンドマーカーＰＤＵが送信された無線ベアラとの対応（ｍａｐｐｉｎｇ）が終了する事を通知するために使われる。
【００５３】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる（不図示）。ＮＡＳレイヤにおいて、サービス
データフローとＱｏＳフローとの対応付が行われる。言い換えれば、ＳＤＡＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００５４】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００５５】
図３（Ｂ）はＵＥ１２２がｇＮＢ１０８と通信を行う際に用いるＣＰのプロトコルスタック図である。
【００５６】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。
【００５７】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００５８】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５９】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００６０】
（実施の形態１）
図１から図９を用いて、本発明の実施の形態を説明する。
【００６１】
図４は本発明の各実施の形態におけるＲＲＣ再設定手順のフローの一例を示す図である。なお。ＲＲＣ再設定手順はＲＲＣコネクション再設定手順であっても良い。
【００６２】
ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、及び解放、及びセカンダリセルの、変更、解放等を行う他、ハンドオーバ（同期を伴う再設定）及び測定（Ｍｅｓｕｒｅｍｅｎｔ）等のために用いられる手順である。一方ＲＲＣコネクション再設定手順（ＲＲＣ  Ｃｏｎｎｅｃｔｉｏｎ  Ｒｅｃｏｎｆｉｇｕｒａｔｉｏｎ）は、非特許文献４に記載の、ＬＴＥにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。またＲＲＣコネクション再設定手順は、ＭＲ−ＤＣにおいて、特にコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、及びコア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）においては、また、コア網５ＧＣと接続する拡張型ｅＮＢ１０２である場合には、ＲＲＣコネクション再設定手順は、ＬＴＥだけでなく、非特許文献１０に記載の、ＮＲにおけるＲＢの確立、変更、及び解放、及びセカンダリセルの、変更、解放等の一部を行う他、ハンドオーバ及び測定（Ｍｅｓｕｒｅｍｅｎｔ）等の一部を行うためにも用いられる。本発明の各実施の形態では、説明が煩雑になることを避けるために、ＲＲＣ再設定手順という名称を用いて説明し、基地局装置としてｇＮＢ１０８を用いて説明する。
【００６３】
ＲＲＣ再設定手順において、ＵＥ１２２はｇＮＢ１０８よりＲＲＣ再設定メッセージ（ＲＲＣＲｅｃｏｎｆｉｇｒａｔｉｏｎ）を受信し（ステップＳ４００）、ＲＲＣ再設定メッセージに含まれる情報に従って各種設定、例えば無線ベアラの設定や、ＳＤＡＰの設定などの処理を行う（ステップＳ４０２）。ステップＳ４０２の後、ＵＥ１２２はｇＮＢ１０８に、ＲＲＣ再設定完了メッセージ（ＲＲＣＲｅｃｏｎｆｉｇｒａｔｉｏｎＣｏｍｐｌｅｔｅ）などを送っても良い（不図示）。なお、ＲＲＣ再設定メッセージはＲＲＣ再設定と言い換えても良く、ＲＲＣ再設定完了メッセージはＲＲＣ再設定完了と言いかえても良い。
【００６４】
図５は本発明の各実施の形態における端末装置（ＵＥ１２２）の構成を示すブロック図である。なお、説明が煩雑になることを避けるために、図５では、本発明と密接に関連する主な構成部のみを示す。
【００６５】
図５に示すＵＥ１２２は、ｇＮＢ１０８よりＲＲＣ再設定メッセージ等を受信する受信部５００、及び受信したメッセージに含まれる各種情報要素（ＩＥ：Ｉｎｆｏｒｍａｔｉｏｎ  Ｅｌｅｍｅｎｔ）及び各種条件等に従って処理を行う処理部５０２から成る。
【００６６】
図６は本発明の各実施の形態における基地局装置（ｇＮＢ１０８）の構成を示すブロック図である。なお、説明が煩雑になることを避けるために、図６では、本発明と密接に関連する主な構成部のみを示す。
【００６７】
図６に示すｇＮＢ１０８は、ＵＥ１２２へＲＲＣ再設定メッセージ等を送信する送信部６００、及び各種情報要素（ＩＥ：Ｉｎｆｏｒｍａｔｉｏｎ  Ｅｌｅｍｅｎｔ）を含めたＲＲＣ再設定メッセージを作成し、ＵＥ１２２に送信する事により、ＵＥ１２２の処理部５０２に処理を行わせる処理部６０２から成る。なお、図６に示す構成は、ｅＮＢ１０２に適応されても良い。ｅＮＢ１０２に適応される場合、送信部６００よりＵＥ１２２へ送信されるメッセージはＲＲＣコネクション再設定メッセージであっても良い。
【００６８】
図７は本発明の実施の形態１において、図４におけるＲＲＣ再設定メッセージに含まれる情報要素を表すＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、ＲＲＣに係るメッセージ、及び情報要素（Ｉｎｆｏｒｍａｔｉｏｎ  Ｅｌｅｍｅｎｔ：ＩＥ）等をＡＳＮ．１を用いて記述する。図７のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報要素が省略されていても良い。なお図７におけるＡＳＮ．１の例はＡＳＮ．１表記方法に正しく従ったものではなく、本発明におけるＲＲＣ再設定のパラメータの一例を表記したものであり、他の名称や他の表記が使われても良い。また図７におけるＡＳＮ．１の例は、説明が煩雑になることを避けるために、本発明と密接に関連する主な情報に関する例のみを示す。
【００６９】
図７においてＤＲＢ−ＴｏＡｄｄＭｏｄＬｉｓｔ又はＤＲＢＴｏＡｄｄＭｏｄで表される情報要素は、追加又は変更するＤＲＢ（データ無線ベアラ）の設定を示す情報のリストであっても良く、本発明の実施の形態では無線ベアラ設定情報要素又はデータ無線ベアラ情報要素と言い換える事もある。
【００７０】
無線ベアラ設定情報要素の中の、ＤＲＢ−Ｉｄｅｎｔｉｔｙで表される情報要素は、追加又は変更するＤＲＢのＤＲＢ識別子の情報であり、本発明の実施の形態では無線ベアラ識別子情報要素、またはデータ無線ベアラ識別子情報要素と言い換える事もある。図７の例では１から３２の整数値としているが、別の値を取っても良い。ＤＣの場合、ＤＲＢ識別子は、ＵＥ１２２のスコープ内で固有である。
【００７１】
無線ベアラ設定情報要素の中の、ｃｎＡｓｓｏｃｉａｔｉｏｎで表される情報要素は、コア網にＥＰＣ１０４を用いるか、又は５ＧＣ１１０を用いるかを示す情報要素であっても良く、本発明の実施の形態ではコア網関連付け情報要素と言い換える事もある。即ち、ＵＥ１２２がＥＰＣと接続する際にはＤＲＢが、ｃｎＡｓｓｏｃｉａｔｉｏｎ中のＥＰＳベアラ識別子情報要素（ｅｐｓ−ＢｅａｒｅｒＩｄｅｎｔｉｔｙ）、又はＥＰＳベアラ識別子情報要素の値であるＥＰＳベアラ識別子に関連付けられ、ＵＥ１２２が５ＧＣ１１０と接続する際には、ＤＲＢが、後述のＳＤＡＰ設定情報要素（ｓｄａｐ−Ｃｏｎｆｉｇ）に従って設定されるＳＤＡＰエンティティ、又はＳＤＡＰ設定情報要素に含まれる、後述のＰＤＵセッション情報要素、又はＰＤＵセッション情報要素の値であるＰＤＵセッション識別子に関連付けられるようにしてもよい。即ち、ｃｎＡｓｓｏｃｉａｔｉｏｎで表される情報には、コア網にＥＰＣ１０４を用いる場合にはＥＰＳベアラ識別子情報要素（ｅｐｓ−ＢｅａｒｅｒＩｄｅｎｔｉｔｙ）を含み、コア網５ＧＣ１１０を用いる場合はＳＤＡＰ設定を示す情報要素（ｓｄａｐ−Ｃｏｎｆｉｇ）を含んでも良い。
【００７２】
ｓｄａｐ−Ｃｏｎｆｉｇで表される情報要素は、コア網が５ＧＣ１１０であった場合に、ＱｏＳフローとＤＲＢの対応（ｍａｐ）方法を決定する、ＳＤＡＰエンティティの設定又は再設定に関する情報であってもよく、本発明の実施の形態ではＳＤＡＰ設定情報要素と言い換える事もある。
【００７３】
ＳＤＡＰ設定情報要素に含まれる、ｐｄｕ−ｓｅｓｓｉｏｎ又はＰＤＵ−ＳｅｓｓｉｏｎＩＤで示される情報要素は、本ＳＤＡＰ設定情報要素を含む無線ベアラ設定情報要素に含まれる、無線ベアラ識別子情報要素の値に対応する無線ベアラと対応（ｍａｐ）付けられるＱｏＳフローが所属する、非特許文献２に記載のＰＤＵセッションの識別子でも良く、本発明の実施の形態ではＰＤＵセッション情報要素と言い換える事もある。ＰＤＵセッション情報要素の値は負でない整数であっても良い。
【００７４】
ＳＤＡＰ設定情報要素に含まれる、ｍａｐｐｅｄＱｏＳ−ＦｌｏｗｓＴｏＡｄｄで示される情報要素は、本ＳＤＡＰ設定情報要素を含む無線ベアラ設定情報要素に含まれる、無線ベアラ識別子情報要素の値に対応する無線ベアラに対応（ｍａｐ）させる、又は追加で対応（ｍａｐ）させる、ＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、本発明の実施の形態では追加するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００７５】
また、ＳＤＡＰ設定情報要素に含まれる、ｍａｐｐｅｄＱｏＳ−ＦｌｏｗｓＴｏＲｅｌｅａｓｅで示される情報要素は、本ＳＤＡＰ設定情報要素を含む無線ベアラ設定情報要素に含まれる、無線ベアラ識別子情報要素の値に対応する無線ベアラに対応（ｍａｐ）しているＱｏＳフローのうち、対応関係を解放するＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、本発明の実施の形態では解放するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００７６】
ＱＦＩで示される情報要素は、非特許文献２に記載の、ＱｏＳフローを一意に識別するＱｏＳフロー識別子であってもよく、本発明の実施の形態ではＱｏＳフロー識別子情報要素と言い換える事もある。ＱｏＳフロー識別子情報要素の値は負でない整数であっても良い。またＱｏＳフロー識別子情報要素の値はＰＤＵセッションに対し一意であっても良い。
【００７７】
またＳＤＡＰ設定情報要素には、この他にアップリンク用ヘッダが存在する事を示すアップリンクヘッダ情報情報要素、ダウンリンク用ヘッダが存在する事を示すダウンリンクヘッダ情報要素、デフォルト無線ベアラ（デフォルトＤＲＢ）である事を示すデフォルトベアラ情報要素などが含まれても良い。
【００７８】
また無線ベアラ設定情報要素の中の、ｐｄｃｐ−Ｃｏｎｆｉｇ又はＰＤＣＰ−Ｃｏｎｆｉｇで表される情報要素はＳＲＢ又はＤＲＢ用のＰＤＣＰ３０６の確立や変更を行うための、ＮＲ  ＰＤＣＰエンティティの設定に関する情報であっても良く、本発明の実施の形態ではＰＤＣＰ設定情報要素と言い換える事もある。ＮＲ  ＰＤＣＰエンティティの設定に関する情報には、アップリンク用シーケンス番号のサイズを示す情報、ダウンリンク用シーケンス番号のサイズを示す情報、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報、リオーダリング（ｒｅ−ｏｒｄｅｒｉｎｇ）タイマー情報などが含まれても良い。
【００７９】
また無線ベアラ設定情報要素の中の、ＤＲＢ−ＴｏＲｅｌｅａｓｅＬｉｓｔで表される情報要素は、解放するＤＲＢのＤＲＢ識別子のリスト情報であっても良く、本発明の実施の形態では解放する無線ベアラ情報要素、又は解放するデータ無線ベアラ情報要素と言い換える事もある。
【００８０】
また図７に示す一部、又は全ての情報要素は、オプショナルであっても良い。即ち図７に示す情報要素は必要に応じてＲＲＣ再設定メッセージに含まれても良い。
【００８１】
図８を用いて、本発明の実施の形態１におけるＵＥ１２２の処理方法の一例を説明する。
【００８２】
ｇＮＢ１０８の処理部６０２は、ＵＥ１２２に処理を行わせるための無線ベアラ設定情
報要素を含むＲＲＣ再設定メッセージを作成し、送信部６００よりＵＥ１２２へと送信する（不図示）。ＵＥ１２２の受信部５００は、ｇＮＢ１０８からＲＲＣ再設定メッセージを受信する（ステップＳ８００）。なおＵＥ１２２は上述の無線ベアラ設定情報要素を含むＲＲＣメッセージをｅＮＢ１０２から受け取っても良く、この場合のＲＲＣメッセージはＲＲＣコネクション再確立メッセージと呼ばれても良い。
【００８３】
次にＵＥ１２２の処理部５０２は、上述の無線ベアラ設定情報要素に含まれる無線ベアラ識別子情報要素の値が、ＵＥ１２２の現設定に無い事を確認する。更に上述の無線ベアラ設定情報要素にＳＤＡＰ設定情報要素が含まれている事を確認する（ステップＳ８０２）。
【００８４】
ステップ８０２で、上述の無線ベアラ設定情報要素に含まれる無線ベアラ識別子情報要素の値が、ＵＥ１２２の現設定に無く、かつ上述の無線ベアラ設定情報要素にＳＤＡＰ設定情報要素が含まれている事が確認された場合には、次にＵＥ１２２の処理部５０２は、上述のＳＤＡＰ設定情報要素に含まれるＰＤＵセッション情報要素、又はＰＤＵセッション情報要素の値が、ＵＥ１２２の現設定に有るか無いかを確認し、無い場合には、上述のＰＤＵセッション情報要素が示すＰＤＵセッションに対するＳＤＡＰエンティティが確立されていないと判断し、ＳＤＡＰエンティティを確立する（ステップＳ８０４）。上述のＰＤＵセッション情報要素、又はＰＤＵセッション情報要素の値が、ＵＥ１２２の現設定に有る場合には、上述のＰＤＵセッション情報要素が示すＰＤＵセッションに対するＳＤＡＰエンティティが既に確立されていると判断し、ＳＤＡＰエンティティの確立は行わない。
【００８５】
次にＵＥ１２２の処理部５０２は、上述のＳＤＡＰ設定情報要素に従って、上述のＰＤＵセッション情報要素に対応するＳＤＡＰエンティティを設定し、更に上述の無線ベアラ設定要素に従って確立した無線ベアラを、上述のＳＤＡＰエンティティに関連付ける（ステップＳ８０６）。
【００８６】
次にＵＥ１２２の処理部５０２は、上述のＳＤＡＰ設定情報要素に、上述の無線ベアラ、即ち上述の無線ベアラ識別子情報要素の値に対応する無線ベアラに対応づける、追加するＱｏＳフロー情報要素が含まれているかどうかを確認する。含まれている場合で、上述の追加するＱｏＳフロー情報要素に含まれるＱｏＳ識別子情報要素の中に、ＵＥ１２２の現設定に存在しないＱｏＳフロー識別子情報要素、又はＱｏＳフロー識別子情報要素の値が含まれている場合には、上位レイヤに「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立された事」を通知する。「上述のＰＤＵセッション情報要素に対応するＰＤＵセッションに対するユーザプレーンリソースが確立された事」とは、「上述のＵＥ１２２の現設定に存在しないＱｏＳフロー識別子情報要素、又はＱｏＳフロー識別子情報要素の値に対応するＱｏＳフローと無線ベアラとの対応ルールが格納された事」と言い換えても良い。
【００８７】
「上述のＰＤＵセッション情報要素に対応するＰＤＵセッションに対するユーザプレーンリソースが確立された事」を通知するとは、例えば上述のＰＤＵセッション識別子情報要素、又はＰＤＵセッション識別子情報要素の値を上位レイヤに通知する事であっても良い。またこの際、上述の新しいＱｏＳフロー識別子情報要素、又は新しい情報要素の値を同時に上位レイヤに通知しても良いし、上述のＰＤＵセッション識別子情報要素、又は上述のＰＤＵセッション識別子情報要素の値を上位レイヤに通知する事に代えて、上述の新しいＱｏＳフロー識別子情報要素、又は新しい情報要素の値を上位レイヤに通知しても良い（ステップＳ８０８）。
【００８８】
上述のＳＤＡＰ設定情報要素に、追加するＱｏＳフロー情報要素が含まれていない場合には、上位レイヤへの「上述のＰＤＵセッション情報要素に対応するＰＤＵセッションに対するユーザプレーンリソースが確立された事」の通知は行わない。また上述のＳＤＡＰ設定情報要素に、追加するＱｏＳフロー情報要素が含まれている場合でも、上述のＱｏＳフロー情報要素に含まれる全てのＱｏＳ識別子情報要素、又は全てのＱｏＳ識別子情報要素の値が、ＵＥ１２２の現設定に存在する場合には、上述のＳＤＡＰ設定情報要素に、追加するＱｏＳフロー情報要素が含まれていない場合には、上位レイヤへの「上述のＰＤＵセッション情報要素に対応するＰＤＵセッションに対するユーザプレーンリソースが確立された事」の通知は行わない。
【００８９】
なお、ステップＳ８０８で、「上述のＱｏＳフロー情報要素に含まれるＱｏＳ識別子情報要素の中に、ＵＥ１２２の現設定に存在しないＱｏＳフロー識別子情報要素、又はＱｏＳフロー識別子情報要素の値が含まれている場合」とは、「上述のＱｏＳフロー情報要素に含まれるＱｏＳ識別子情報要素の中に、新しいＱｏＳフロー識別子情報要素、又は新しいＱｏＳフロー識別子情報要素の値が含まれている場合」と言い換えても良い。
【００９０】
図９を用いて、本発明の実施の形態におけるＵＥ１２２の処理方法の別の一例を説明する。
【００９１】
ｇＮＢ１０８の処理部６０２は、ＵＥ１２２に処理を行わせるための無線ベアラ設定情報要素を含むＲＲＣ再設定メッセージを作成し、送信部６００よりＵＥ１２２へと送信する（不図示）。ＵＥ１２２の受信部５００は、ｇＮＢ１０８からＲＲＣ再設定メッセージを受信する（ステップＳ９００）。なおＵＥ１２２は上述の無線ベアラ設定情報要素を含むＲＲＣメッセージをｅＮＢ１０２から受け取っても良く、この場合のＲＲＣメッセージはＲＲＣコネクション再確立メッセージと呼ばれても良い。
【００９２】
次にＵＥ１２２の処理部５０２は、上述の無線ベアラ設定情報要素に含まれる無線ベアラ識別子情報要素の値が、ＵＥ１２２の現設定に有る事を確認する。更に上述の無線ベアラ設定情報要素にＳＤＡＰ設定情報要素が含まれている事を確認する（ステップＳ９０２）。
【００９３】
ステップ９０２で、上述の無線ベアラ設定情報要素に含まれる無線ベアラ識別子情報要素の値が、ＵＥ１２２の現設定に有り、かつ上述の無線ベアラ設定情報要素にＳＤＡＰ設定情報要素が含まれている事が確認された場合には、次にＵＥ１２２の処理部５０２は、上述のＳＤＡＰ設定情報要素に従って、上述のＳＤＡＰ設定情報要素に含まれるＰＤＵセッション情報要素に対応するＳＤＡＰエンティティを設定、又は再設定する（ステップＳ９０４）。
【００９４】
次にＵＥ１２２の処理部５０２は、上述のＳＤＡＰ設定情報要素に、上述の無線ベアラ、即ち上述の無線ベアラ識別子情報要素の値に対応する無線ベアラに対応づける、追加するＱｏＳフロー情報要素が含まれているかどうかを確認する。含まれている場合で、上述の追加するＱｏＳフロー情報要素に含まれるＱｏＳ識別子情報要素の中に、ＵＥ１２２の現設定に存在しないＱｏＳフロー識別子情報要素、又はＱｏＳフロー識別子情報要素の値が含まれている場合には、上位レイヤに「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立された事」を通知する。「上述のＰＤＵセッション情報要素に対応するＰＤＵセッションに対するユーザプレーンリソースが確立された事」とは、「上述のＵＥ１２２の現設定に存在しないＱｏＳフロー識別子情報要素、又はＱｏＳフロー識別子情報要素の値に対応するＱｏＳフローと無線ベアラとの対応ルールが格納された事」と言い換えても良い。
【００９５】
「上述のＰＤＵセッション情報要素に対応するＰＤＵセッションに対するユーザプレーンリソースが確立された事」を通知するとは、例えば上述のＰＤＵセッション識別子情報要素、又はＰＤＵセッション識別子情報要素の値を上位レイヤに通知する事であっても良い。またこの際、上述の新しいＱｏＳフロー識別子情報要素、又は新しい情報要素の値を同時に上位レイヤに通知しても良いし、上述のＰＤＵセッション識別子情報要素、又は上述のＰＤＵセッション識別子情報要素の値を上位レイヤに通知する事に代えて、上述の新しいＱｏＳフロー識別子情報要素、又は新しい情報要素の値を上位レイヤに通知しても良い（ステップＳ９０６）。
【００９６】
上述のＳＤＡＰ設定情報要素に、追加するＱｏＳフロー情報要素が含まれていない場合には、上位レイヤへの「上述のＰＤＵセッション情報要素に対応するＰＤＵセッションに対するユーザプレーンリソースが確立された事」の通知は行わない。また上述のＳＤＡＰ設定情報要素に、追加するＱｏＳフロー情報要素が含まれている場合でも、上述の追加するＱｏＳフロー情報要素に含まれる全てのＱｏＳ識別子情報要素、又は全てのＱｏＳ識別子情報要素の値が、ＵＥ１２２の現設定に存在する場合には、上述のＳＤＡＰ設定情報要素に、追加するＱｏＳフロー情報要素が含まれていない場合には、上位レイヤへの「上述のＰＤＵセッション情報要素に対応するＰＤＵセッションに対するユーザプレーンリソースが確立された事」の通知は行わない。
【００９７】
なお、ステップＳ９０６で、「上述のＱｏＳフロー情報要素に含まれるＱｏＳ識別子情報要素の中に、ＵＥ１２２の現設定に存在しないＱｏＳフロー識別子情報要素、又はＱｏＳフロー識別子情報要素の値が含まれている場合」とは、「上述のＱｏＳフロー情報要素に含まれるＱｏＳ識別子情報要素の中に、新しいＱｏＳフロー識別子情報要素、又は新しいＱｏＳフロー識別子情報要素の値が含まれている場合」と言い換えても良い。
【００９８】
なお、ステップＳ８０８、又はステップＳ９０６の処理は、ＲＲＣ３０８又はＲＲＣ２０８で行っても良いし、ＳＤＡＰ３１０で行っても良い。また、ステップＳ８０８、又はステップＳ９０６の処理において、上位レイヤとはＮＡＳレイヤであっても良い。また、ステップＳ８０８、又はステップＳ９０６の処理における上位レイヤへの通知は、ＳＤＡＰ３１０において、上述の無線ベアラ設定情報要素に含まれる、ＵＥ１２２の現設定に存在しないＱｏＳフロー識別子情報要素、又はＱｏＳフロー識別子情報要素の値に対応するＱｏＳフローと、無線ベアラとの対応付けルールが格納された事を、ＲＲＣ３０８又はＲＲＣ２０８で確認してから行っても良い。上述の対応付けルールが格納された事の確認方法は、ＳＤＡＰ３１０からＲＲＣ３０８又はＲＲＣ２０８への、対応付けルールが格納された事を示す通知であっても良い。
【００９９】
このように、本発明の実施の形態１では、ＵＥ１２２の現設定に無いＱｏＳフローをＤＲＢに対応付けた際、上位レイヤに通知する事により、上位レイヤでＰＤＵセッションに対するユーザプレーンリソースが下位レイヤで確立された事検出する事ができ、最適なタイミングでユーザデータを送信する事ができる。即ち、端末装置は、プロトコル処理の複雑さを軽減し、効率的に通信を行うことができる。
【０１００】
（実施の形態２）
図１から図７、及び図１０、図１１を用いて、本発明の実施の形態２を説明する。本発明の実施の形態２では、確立された無線ベアラとＳＤＡＰエンティティの関連付けが行われた事に基づいて、該当ＰＤＵセッションに対するユーザプレーンリソースが確立された事を上位レイヤに通知する。実施の形態１と異なり、追加するＱｏＳフロー情報要素に含まれるＱｏＳフロー識別子情報要素に基づく判断はしても良いし、しなくても良い。
【０１０１】
図４は本発明の各実施の形態におけるＲＲＣ再設定手順のフローの一例を示す図である。なお。ＲＲＣ再設定手順はＲＲＣコネクション再設定手順であっても良い。
【０１０２】
ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、及び解放、及びセカンダリセルの、変更、解放等を行う他、ハンドオーバ（同期を伴う再設定）及び測定（Ｍｅｓｕｒｅｍｅｎｔ）等のために用いられる手順である。一方ＲＲＣコネクション再設定手順（ＲＲＣ  Ｃｏｎｎｅｃｔｉｏｎ  Ｒｅｃｏｎｆｉｇｕｒａｔｉｏｎ）は、非特許文献４に記載の、ＬＴＥにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。またＲＲＣコネクション再設定手順は、ＭＲ−ＤＣにおいて、特にコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、及びコア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）、及び拡張型ｅＮＢ１０２がコア網５ＧＣと接続する場合には、ＲＲＣコネクション再設定手順は、ＬＴＥだけでなく、非特許文献１０に記載の、ＮＲにおけるＲＢの確立、変更、及び解放、及びセカンダリセルの、変更、解放等の一部を行う他、ハンドオーバ及び測定（Ｍｅｓｕｒｅｍｅｎｔ）等の一部を行うためにも用いられる。本発明の各実施の形態では、説明が煩雑になることを避けるために、ＲＲＣ再設定手順という名称を用いて説明し、基地局装置としてｇＮＢ１０８を用いて説明する。
【０１０３】
ＲＲＣ再設定手順において、ＵＥ１２２はｇＮＢ１０８よりＲＲＣ再設定メッセージ（ＲＲＣＲｅｃｏｎｆｉｇｒａｔｉｏｎ）を受信し（ステップＳ４００）、ＲＲＣ再設定メッセージに含まれる情報に従って各種設定、例えば無線ベアラの設定や、ＳＤＡＰの設定などの処理を行う（ステップＳ４０２）。ステップＳ４０２の後、ＵＥ１２２はｇＮＢ１０８に、ＲＲＣ再設定完了メッセージ（ＲＲＣＲｅｃｏｎｆｉｇｒａｔｉｏｎＣｏｍｐｌｅｔｅ）などを送っても良い（不図示）。なお、ＲＲＣ再設定メッセージはＲＲＣ再設定と言い換えても良く、ＲＲＣ再設定完了メッセージはＲＲＣ再設定完了と言いかえても良い。
【０１０４】
図５は本発明の各実施の形態における端末装置（ＵＥ１２２）の構成を示すブロック図である。なお、説明が煩雑になることを避けるために、図５では、本発明と密接に関連する主な構成部のみを示す。
【０１０５】
図５に示すＵＥ１２２は、ｇＮＢ１０８よりＲＲＣ再設定メッセージ等を受信する受信部５００、及び受信したメッセージに含まれる各種情報要素（ＩＥ：Ｉｎｆｏｒｍａｔｉｏｎ  Ｅｌｅｍｅｎｔ）及び各種条件等に従って処理を行う処理部５０２から成る。
【０１０６】
図６は本発明の各実施の形態における基地局装置（ｇＮＢ１０８）の構成を示すブロック図である。なお、説明が煩雑になることを避けるために、図６では、本発明と密接に関連する主な構成部のみを示す。
【０１０７】
図６に示すｇＮＢ１０８は、ＵＥ１２２へＲＲＣ再設定メッセージ等を送信する送信部６００、及び各種情報要素（ＩＥ：Ｉｎｆｏｒｍａｔｉｏｎ  Ｅｌｅｍｅｎｔ）を含めたＲＲＣ再設定メッセージを作成し、ＵＥ１２２に送信する事により、ＵＥ１２２の処理部５０２に処理を行わせる処理部６０２から成る。なお、図６に示す構成は、ｅＮＢ１０２に適応されても良い。ｅＮＢ１０２に適応される場合、送信部６００よりＵＥ１２２へ送信されるメッセージはＲＲＣコネクション再設定メッセージであっても良い。  
【０１０８】
図７は本発明の実施の形態１において、図４におけるＲＲＣ再設定メッセージに含まれる情報要素を表すＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、ＲＲＣに係るメッセージ、及び情報要素（Ｉｎｆｏｒｍａｔｉｏｎ  Ｅｌｅｍｅｎｔ：ＩＥ）等をＡＳＮ．１を用いて記述する。図７のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報要素が省略されていても良い。なお図７におけるＡＳＮ．１の例はＡＳＮ．１表記方法に正しく従ったものではなく、本発明におけるＲＲＣ再設定のパラメータの一例を表記したものであり、他の名称や他の表記が使われても良い。また図７におけるＡＳＮ．１の例は、説明が煩雑になることを避けるために、本発明と密接に関連する主な情報に関する例のみを示す。
【０１０９】
図７においてＤＲＢ−ＴｏＡｄｄＭｏｄＬｉｓｔ又はＤＲＢＴｏＡｄｄＭｏｄで表される情報要素は、追加又は変更するＤＲＢ（データ無線ベアラ）の設定を示す情報のリストであっても良く、本発明の実施の形態では無線ベアラ設定情報要素又はデータ無線ベアラ情報要素と言い換える事もある。
【０１１０】
無線ベアラ設定情報要素の中の、ＤＲＢ−Ｉｄｅｎｔｉｔｙで表される情報要素は、追加又は変更するＤＲＢのＤＲＢ識別子の情報であり、本発明の実施の形態では無線ベアラ識別子情報要素、またはデータ無線ベアラ識別子情報要素と言い換える事もある。図７の例では１から３２の整数値としているが、別の値を取っても良い。ＤＣの場合、ＤＲＢ識別子は、ＵＥ１２２のスコープ内で固有である。
【０１１１】
無線ベアラ設定情報要素の中の、ｃｎＡｓｓｏｃｉａｔｉｏｎで表される情報要素は、コア網にＥＰＣ１０４を用いるか、又は５ＧＣ１１０を用いるかを示す情報要素であっても良く、本発明の実施の形態ではコア網関連付け情報要素と言い換える事もある。即ち、ＵＥ１２２がＥＰＣと接続する際にはＤＲＢが、ｃｎＡｓｓｏｃｉａｔｉｏｎ中のＥＰＳベアラ識別子情報要素（ｅｐｓ−ＢｅａｒｅｒＩｄｅｎｔｉｔｙ）、又はＥＰＳベアラ識別子情報要素の値であるＥＰＳベアラ識別子に関連付けられ、ＵＥ１２２が５ＧＣ１１０と接続する際には、ＤＲＢが、後述のＳＤＡＰ設定情報要素（ｓｄａｐ−Ｃｏｎｆｉｇ）に従って設定されるＳＤＡＰエンティティ、又はＳＤＡＰ設定情報要素に含まれる、後述のＰＤＵセッション情報要素、又はＰＤＵセッション情報要素の値であるＰＤＵセッション識別子に関連付けられるようにしてもよい。即ち、ｃｎＡｓｓｏｃｉａｔｉｏｎで表される情報には、ＥＮ−ＤＣを用いる場合等のコア網にＥＰＣ１０４を用いる場合にはＥＰＳベアラ識別子情報要素（ｅｐｓ−ＢｅａｒｅｒＩｄｅｎｔｉｔｙ）を含み、コア網５ＧＣ１１０を用いる場合は、即ちＥＮ−ＤＣを用いない場合等はＳＤＡＰ設定を示す情報要素（ｓｄａｐ−Ｃｏｎｆｉｇ）を含んでも良い。
【０１１２】
ｓｄａｐ−Ｃｏｎｆｉｇで表される情報要素は、コア網が５ＧＣ１１０であった場合に、ＱｏＳフローとＤＲＢの対応（ｍａｐ）方法を決定する、ＳＤＡＰエンティティの設定又は再設定に関する情報であってもよく、本発明の実施の形態ではＳＤＡＰ設定情報要素と言い換える事もある。
【０１１３】
ＳＤＡＰ設定情報要素に含まれる、ｐｄｕ−ｓｅｓｓｉｏｎ又はＰＤＵ−ＳｅｓｓｉｏｎＩＤで示される情報要素は、本ＳＤＡＰ設定情報要素を含む無線ベアラ設定情報要素に含まれる、無線ベアラ識別子情報要素の値に対応する無線ベアラと対応（ｍａｐ）付けられるＱｏＳフローが所属する、非特許文献２に記載のＰＤＵセッションの識別子でも良く、本発明の実施の形態ではＰＤＵセッション情報要素と言い換える事もある。ＰＤＵセッション情報要素の値は負でない整数であっても良い。
【０１１４】
ＳＤＡＰ設定情報要素に含まれる、ｍａｐｐｅｄＱｏＳ−ＦｌｏｗｓＴｏＡｄｄで示される情報要素は、本ＳＤＡＰ設定情報要素を含む無線ベアラ設定情報要素に含まれる、無線ベアラ識別子情報要素の値に対応する無線ベアラに対応（ｍａｐ）させる、又は追加で対応（ｍａｐ）させる、ＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、本発明の実施の形態では追加するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【０１１５】
また、ＳＤＡＰ設定情報要素に含まれる、ｍａｐｐｅｄＱｏＳ−ＦｌｏｗｓＴｏＲｅｌｅａｓｅで示される情報要素は、本ＳＤＡＰ設定情報要素を含む無線ベアラ設定情報要素に含まれる、無線ベアラ識別子情報要素の値に対応する無線ベアラに対応（ｍａｐ）しているＱｏＳフローのうち、対応関係を解放するＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、本発明の実施の形態では解放するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【０１１６】
ＱＦＩで示される情報要素は、非特許文献２に記載の、ＱｏＳフローを一意に識別するＱｏＳフロー識別子であってもよく、本発明の実施の形態ではＱｏＳフロー識別子情報要素と言い換える事もある。ＱｏＳフロー識別子情報要素の値は負でない整数であっても良い。またＱｏＳフロー識別子情報要素の値はＰＤＵセッションに対し一意であっても良い。
【０１１７】
またＳＤＡＰ設定情報要素には、この他にアップリンク用ヘッダが存在する事を示すアップリンクヘッダ情報情報要素、ダウンリンク用ヘッダが存在する事を示すダウンリンクヘッダ情報要素、デフォルト無線ベアラ（デフォルトＤＲＢ）である事を示すデフォルトベアラ情報要素などが含まれても良い。
【０１１８】
また無線ベアラ設定情報要素の中の、ｐｄｃｐ−Ｃｏｎｆｉｇ又はＰＤＣＰ−Ｃｏｎｆｉｇで表される情報要素はＳＲＢ又はＤＲＢ用のＰＤＣＰ３０６の確立や変更を行うための、ＮＲ  ＰＤＣＰエンティティの設定に関する情報であっても良く、本発明の実施の形態ではＰＤＣＰ設定情報要素と言い換える事もある。ＮＲ  ＰＤＣＰエンティティの設定に関する情報には、アップリンク用シーケンス番号のサイズを示す情報、ダウンリンク用シーケンス番号のサイズを示す情報、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報、リオーダリング（ｒｅ−ｏｒｄｅｒｉｎｇ）タイマー情報などが含まれても良い。
【０１１９】
また無線ベアラ設定情報要素の中の、ＤＲＢ−ＴｏＲｅｌｅａｓｅＬｉｓｔで表される情報要素は、解放するＤＲＢのＤＲＢ識別子のリスト情報であっても良く、本発明の実施の形態では解放する無線ベアラ情報要素、又は解放するデータ無線ベアラ情報要素と言い換える事もある。
【０１２０】
また図７に示す一部、又は全ての情報要素は、オプショナルであっても良い。即ち図７に示す情報要素は必要に応じてＲＲＣ再設定メッセージに含まれても良い。
【０１２１】
図１０を用いて、本発明の実施の形態２におけるＵＥ１２２の処理方法の一例を説明する。
【０１２２】
ｇＮＢ１０８の処理部６０２は、ＵＥ１２２に処理を行わせるための無線ベアラ設定情
報要素を含むＲＲＣ再設定メッセージを作成し、送信部６００よりＵＥ１２２へと送信する（不図示）。ＵＥ１２２の受信部５００は、ｇＮＢ１０８からＲＲＣ再設定メッセージを受信する（ステップＳ１０００）。なおＵＥ１２２は上述の無線ベアラ設定情報要素を含むＲＲＣメッセージをｅＮＢ１０２から受け取っても良く、この場合のＲＲＣメッセージはＲＲＣコネクション再確立メッセージと呼ばれても良い。
【０１２３】
次にＵＥ１２２の処理部５０２は、上述の無線ベアラ設定情報要素に含まれる無線ベアラ識別子情報要素の値が、ＵＥ１２２の現設定に無い事を確認する。更に上述の無線ベアラ設定情報要素にＳＤＡＰ設定情報要素が含まれている事を確認する（ステップＳ１００２）。
【０１２４】
ステップＳ１００２における、上述の無線ベアラ設定情報要素に含まれる無線ベアラ識別子情報要素の値が、ＵＥ１２２の現設定に無く、かつ上述の無線ベアラ設定情報要素にＳＤＡＰ設定情報要素が含まれている事に基づいて、次にＵＥ１２２の処理部５０２は、上述のＳＤＡＰ設定情報要素に含まれるＰＤＵセッション情報要素、又はＰＤＵセッション情報要素の値が、ＵＥ１２２の現設定に有るか無いかを確認する（ステップＳ１００４）。
【０１２５】
上述のＳＤＡＰ設定情報要素に含まれるＰＤＵセッション情報要素、又はＰＤＵセッション情報要素の値が、ＵＥ１２２の現設定に無い場合には、無いという事に基づいて、上述のＰＤＵセッション情報要素が示すＰＤＵセッションに対するＳＤＡＰエンティティが確立されていないと判断し、ＳＤＡＰエンティティを確立する。更にＵＥ１２２の処理部５０２は、上述のＳＤＡＰ設定情報要素に従ってＳＤＡＰエンティティを設定し、上述の無線ベアラ設定要素に従って確立した無線ベアラを、上述のＳＤＡＰエンティティに関連付ける。更にＵＥ１２２の処理部５０２は、上位レイヤに「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」を通知する。「上述のＰＤＵセッション情報要素に対応するＰＤＵセッションに対するユーザプレーンリソースが確立、又はされた事」とは、「上述のＳＤＡＰ設定情報要素に含まれる追加するＱｏＳフロー情報要素に含まれるＱｏＳフロー識別子情報要素、又はＱｏＳフロー識別子情報要素の値に対応するＱｏＳフローと無線ベアラとの対応ルールが格納された事」と言い換えても良い。
【０１２６】
「上述のＰＤＵセッション情報要素に対応するＰＤＵセッションに対するユーザプレーンリソースが確立、又は設定された事」を通知するとは、例えば上述のＰＤＵセッション識別子情報要素、又はＰＤＵセッション識別子情報要素の値を上位レイヤに通知する事であっても良い。またこの際、上述のＱｏＳフロー識別子情報要素、又はＱｏＳフロー識別子情報要素の値を同時に上位レイヤに通知しても良いし、上述のＰＤＵセッション識別子情報要素、又は上述のＰＤＵセッション識別子情報要素の値を上位レイヤに通知する事に代えて、上述のＱｏＳフロー識別子情報要素、又はＱｏＳ識別子情報要素の値を上位レイヤに通知しても良い（ステップＳ１００６）。
【０１２７】
また、ステップＳ１００４において、上述のＳＤＡＰ設定情報要素に含まれるＰＤＵセッション情報要素、又はＰＤＵセッション情報要素の値が、ＵＥ１２２の現設定に有るか無いかを確認し、有る場合には、有るという事に基づいて、ＳＤＡＰエンティティの確立は行わなくても良い。またこの場合、存在するＳＤＡＰエンティティを上述のＳＤＡＰ設定情報要素に従って確立又は再確立し、上述の無線ベアラ設定要素に従って確立した無線ベアラを、上述のＳＤＡＰエンティティに関連付ける（ステップＳ１００８）。
【０１２８】
次に図１１を用いて、本発明の実施の形態２におけるＵＥ１２２の処理方法の別の一例を説明する。
【０１２９】
ｇＮＢ１０８の処理部６０２は、ＵＥ１２２に処理を行わせるための無線ベアラ設定情報要素を含むＲＲＣ再設定メッセージを作成し、送信部６００よりＵＥ１２２へと送信する（不図示）。ＵＥ１２２の受信部５００は、ｇＮＢ１０８からＲＲＣ再設定メッセージを受信する（ステップＳ１１００）。なおＵＥ１２２は上述の無線ベアラ設定情報要素を含むＲＲＣメッセージをｅＮＢ１０２から受け取っても良く、この場合のＲＲＣメッセージはＲＲＣコネクション再確立メッセージと呼ばれても良い。
【０１３０】
次にＵＥ１２２の処理部５０２は、上述の無線ベアラ設定情報要素に含まれる無線ベアラ識別子情報要素の値が、ＵＥ１２２の現設定に無い事を確認する。更に上述の無線ベアラ設定情報要素にＳＤＡＰ設定情報要素が含まれている事を確認する（ステップＳ１１０２）。
【０１３１】
ステップＳ１１０２における、上述の無線ベアラ設定情報要素に含まれる無線ベアラ識別子情報要素の値が、ＵＥ１２２の現設定に無く、かつ上述の無線ベアラ設定情報要素にＳＤＡＰ設定情報要素が含まれている事に基づいて、次にＵＥ１２２の処理部５０２は、上述のＳＤＡＰ設定情報要素に含まれるＰＤＵセッション情報要素、又はＰＤＵセッション情報要素の値が、ＵＥ１２２の現設定に有るか無いかを確認する（ステップＳ１１０４）。
【０１３２】
上述のＳＤＡＰ設定情報要素に含まれるＰＤＵセッション情報要素、又はＰＤＵセッション情報要素の値が、ＵＥ１２２の現設定に無い場合には、無いという事に基づいて、上述のＰＤＵセッション情報要素が示すＰＤＵセッションに対するＳＤＡＰエンティティが確立されていないと判断し、ＳＤＡＰエンティティを確立する。ＵＥ１２２の現設定に有る場合には、有るという事に基づいて、上述のＰＤＵセッション情報要素が示すＰＤＵセッションに対するＳＤＡＰエンティティが存在すると判断し、ＳＤＡＰエンティティを確立しなくても良い（ステップＳ１１０６）。
【０１３３】
次にＵＥ１２２の処理部５０２は、上述のＳＤＡＰ設定情報要素に従って上述の確立された、または上述のＰＤＵセッション情報要素に対応する既存のＳＤＡＰエンティティを設定又は再設定し、上述の無線ベアラ設定要素に従って確立した無線ベアラを、上述のＳＤＡＰ設定情報要素に従って上述の確立された、または上述のＰＤＵセッション情報要素に対応する既存のＳＤＡＰエンティティに関連付ける。即ち、ステップＳ１１０４において、上述のＳＤＡＰ設定情報要素に含まれるＰＤＵセッション情報要素が、ＵＥ１２２の現設定に無かった場合、上述の確立されたＳＤＡＰエンティティを設定又は再設定し、上述の無線ベアラ設定要素に従って確立した無線ベアラを上述のＳＤＡＰエンティティに関連付け、上述のＳＤＡＰ設定情報要素に含まれるＰＤＵセッション情報要素が、ＵＥ１２２の現設定にある場合、上述のＰＤＵセッション情報要素に対応する既存のＳＤＡＰエンティティを設定又は再設定し、上述の無線ベアラ設定要素に従って確立した無線ベアラを上述のＳＤＡＰエンティティに関連付けても良い。更にＵＥ１２２の処理部５０２は、上位レイヤに「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」を通知する。「上述のＰＤＵセッション情報要素に対応するＰＤＵセッションに対するユーザプレーンリソースが確立、又はされた事」とは、「上述のＳＤＡＰ設定情報要素に含まれる追加するＱｏＳフロー情報要素に含まれるＱｏＳフロー識別子情報要素、又はＱｏＳフロー識別子情報要素の値に対応するＱｏＳフローと無線ベアラとの対応ルールが格納された事」と言い換えても良い。
【０１３４】
「上述のＰＤＵセッション情報要素に対応するＰＤＵセッションに対するユーザプレーンリソースが確立、又は設定された事」を通知するとは、例えば上述のＰＤＵセッション
識別子情報要素、又はＰＤＵセッション識別子情報要素の値を上位レイヤに通知する事であっても良い。またこの際、上述のＱｏＳフロー識別子情報要素、又はＱｏＳフロー識別子情報要素の値を同時に上位レイヤに通知しても良いし、上述のＰＤＵセッション識別子情報要素、又は上述のＰＤＵセッション識別子情報要素の値を上位レイヤに通知する事に代えて、上述のＱｏＳフロー識別子情報要素、又はＱｏＳ識別子情報要素の値を上位レイヤに通知しても良い（ステップＳ１１０８）。
【０１３５】
なお、本発明の実施の形態２において、上位レイヤに「上述のＰＤＵセッション情報要素に対応するＰＤＵセッションに対するユーザプレーンリソース（ｕｓｅｒ−ｐｌａｎｅ
ｒｅｓｏｕｒｃｅｓ）が確立、又は設定された事」を通知する処理は、ＲＲＣ３０８又はＲＲＣ２０８で行っても良いし、ＳＤＡＰ３１０で行っても良い。また「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」を通知する、上位レイヤとは、ＮＡＳレイヤであっても良い。また、「上述のＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」の上位レイヤへの通知は、ＳＤＡＰ３１０において、上述の無線ベアラ設定情報要素に含まれる、追加するＱｏＳフロー情報要素に含まれるＱｏＳフロー識別子情報要素、又はＱｏＳフロー識別子情報要素の値に対応するＱｏＳフローと、無線ベアラとの対応付けルールが格納された事を、ＲＲＣ３０８又はＲＲＣ２０８で確認してから行っても良い。上述の対応付けルールが格納された事の確認方法は、ＳＤＡＰ３１０からＲＲＣ３０８又はＲＲＣ２０８への、対応付けルールが格納された事を示す通知であっても良い。
【０１３６】
このように、本発明の実施の形態２では、ＰＤＵセッションに対するユーザプレーンリソースが確立、または設定された事を、上位レイヤに通知する事により、上位レイヤでＰＤＵセッションに対するユーザプレーンリソースが下位レイヤで確立された事検出する事ができ、最適なタイミングでユーザデータを送信する事ができる。即ち、端末装置は、プロトコル処理の複雑さを軽減し、効率的に通信を行うことができる。
【０１３７】
なお、本発明の各実施の形態における無線ベアラ設定は、ＲＲＣコネクション再設定手順だけでなく、ＲＲＣ確立（ＲＲＣ  Ｅｓｔａｂｌｉｓｈｍｅｎｔ）手順や、ＲＲＣ再確立（ＲＲＣ  Ｒｅ−Ｅｓｔａｂｌｉｓｈｍｅｎｔ）手順に含まれていても良い。また本発明の各実施の形態における無線ベアラとは、ＤＲＢであっても良いし、ＳＲＢであっても良い。
【０１３８】
なお、本発明の各実施の形態における「情報要素」は、「フィールド」と呼ばれても良い。
【０１３９】
また、本発明の各実施の形態において、「ＰＤＵセッション情報要素に対応するＰＤＵセッションに対するユーザプレーンリソースが確立された事」及び／又は「ＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」の上位レイヤへの通知は、本発明の各実施の形態での言い換え例以外でも、「ＰＤＵセッション情報要素に対応するＰＤＵセッションに対するユーザプレーンリソースが確立された事」及び／又は「ＰＤＵセッション情報要素に対応するＰＤＵセッションに対するユーザプレーンリソース（ｕｓｅｒ−ｐｌａｎｅ  ｒｅｓｏｕｒｃｅｓ）が確立、又は設定された事」を示す情報であれば、他の情報でも良い。
【０１４０】
また、本発明の各実施の形態において、「無線ベアラ設定情報要素にＳＤＡＰ設定情報要素が含まれている」事とは、ＥＮ−ＤＣを用いていない事、即ちＥＮ−ＤＣを用いてい
る事の逆である事を意味しても良い。なぜならば、非特許文献８及び非特許文献９に説明される通り、ＮＲ（Ｎｅｗ  Ｒａｄｉｏ  ｔｅｃｈｎｏｌｏｇｙ）において、ＥＮ−ＤＣの場合にのみ、コア網としてＥＰＣが用いられるからである。
【０１４１】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１４２】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１４３】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１４４】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１４５】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１４６】
以上、この発明の実施形態に関して図面を参照して詳述してきたが、具体的な構成はこの実施形態に限られるものではなく、この発明の要旨を逸脱しない範囲の設計変更等も含
まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１４７】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００  受信部
５０２、６０２  処理部
６００  送信部
【図１】
2020025159.tif 000003
【図２】
2020025159.tif 000004
【図３】
2020025159.tif 000005
【図４】
2020025159.tif 000006
【図５】
2020025159.tif 000007
【図６】
2020025159.tif 000008
【図７】
2020025159.tif 000009
【図８】
2020025159.tif 000010
【図９】
2020025159.tif 000011
【図１０】
2020025159.tif 000012
【図１１】
2020025159.tif 000013